(57)【要約】【課題】墓参り物品を自動販売機で販売する際に、独自の大きさの専用収容容器や、独自の大きさの専用収容容器を格納する独自の大きさの収容部を備えた専用自動販売機を必要とすることがなく、また商品の補充を容易に行うことができる墓参り物品用収容容器及び墓参り物品用自動販売機を提供する。【解決手段】墓参り物品用収容容器３０は、所定の大きさの飲料容器を販売する自動販売機で販売できるものであり、墓参り物品用自動販売機１は、所定の大きさの飲料容器を複数収納できる収納部２１を備え、収納部に、墓参りの際に使用する物品を収容した墓参り物品用収容容器３０が複数収納されているものである。【選択図】図１
2016057844.tif 000002
【特許請求の範囲】
【請求項１】
墓参りの際に使用する物品が収容された墓参り物品用収容容器であって、
前記墓参り物品用収容容器は、所定の大きさの飲料容器を販売する自動販売機で販売できることを特徴とする墓参り物品用収容容器。
【請求項２】
所定の大きさの飲料容器を複数収納できる収納部を備え、
前記収納部に、墓参りの際に使用する物品を収容した墓参り物品用収容容器が複数収納されていることを特徴とする墓参り物品用自動販売機。
【請求項３】
冷却ユニットを有していることを特徴とする請求項２に記載の墓参り物品用自動販売機。
【請求項４】
所定の大きさの飲料容器を販売する自動販売機の隣に設置されることを特徴とする請求項２に記載の墓参り物品用自動販売機。
【発明の詳細な説明】
【技術分野】
【０００１】
本発明は、墓参りの際に使用する物品を自動販売機にて販売するのに最適な墓参り物品用収納容器及び墓地や墓園に設置され墓参りの際に使用する物品を販売する自動販売機に関する。
【背景技術】
【０００２】
例えば、特許文献１に記載されているように、墓参りの際に使用する物品、例えば、線香やローソクを専用の収容容器に入れて販売する自動販売機が知られている。墓参り用物品を自動販売機で販売することにより、購入者はわざわざ線香等を持参する必要がなく、また持参するのを忘れたとしても簡単に購入することができる。また、墓参り用物品を販売しようとする者は、自動販売機で販売することにより販売員の人件費等を削減することができる。
【先行技術文献】
【特許文献】
【０００３】
【特許文献１】特開平６−２０８６７５号公報
【発明の概要】
【発明が解決しようとする課題】
【０００４】
ところで、特許文献１に記載されている収容容器は、形状について円筒状又は多角形筒状と記載されているが、容器の大きさについてはとくに記載されていない。また、この収容容器を格納して販売する自動販売機についても、線香・ろうそく・念珠用自動販売機と記載されているだけである。
【０００５】
最近の自動販売機は、飲料や弁当やお菓子のような飲食物を販売するものから、新聞や花、下着のような非飲食物を販売するものまで、多種多様なものが存在している。何れも、販売物品の販売に最適な設計で製造された自動販売機になっている。したがって、販売物品専用の自動販売機を製造すること自体は難しいことではなく、特許文献１に記載されている線香等を収容した収容容器やこの収容容器を収納して販売する自動販売機は、線香等を収容するのに最適な大きさに設計された独自の大きさの専用収容容器と考えられ、またこの独自の大きさの専用収容容器を収納する独自の大きさの収容部を備えた専用自動販売機であると考えられる。
【０００６】
しかしながら、独自の大きさの専用収容容器や、この専用収容容器を収納する独自の大きさの収容部を備えた専用自動販売機を製造するとなると、専用設計となるため製造コストが増加してしまうことになる。
【０００７】
また、自動販売機では、販売物品の補充が必要になるが、特許文献１のような自動販売機は販売する線香等の販売状況の把握が難しく販売物品の補充が煩わしい。
【０００８】
本発明は、これらの課題を解決する墓参り物品用収容容器及び墓参り物品用自動販売機を提供することを目的とする。
【課題を解決するための手段】
【０００９】
上記課題を解決するために、本発明の墓参り物品用収容容器は、墓参りの際に使用する物品が収容された墓参り物品用収容容器であって、前記墓参り物品用収容容器は、所定の大きさの飲料容器を販売する自動販売機で販売できることを特徴とする。
【００１０】
このような墓参り物品用収容容器によれば、所定の大きさの飲料容器を販売する自動販売機である飲料用自動販売機で販売できるため、広く普及している飲料用の自動販売機を用いて販売することで、墓参り物品を販売する場合に専用の自動販売機を必要としない。
【００１１】
また、本発明の墓参り物品用自動販売機は、所定の大きさの飲料容器を複数収納できる収納部を備え、前記収納部に、墓参りの際に使用する物品を収容した墓参り物品用収容容器が複数収納されていることを特徴とする。
【００１２】
このような墓参り物品用自動販売機によれば、飲料用の自動販売機を用いて墓参りの際に使用する物品を販売するため、墓参り物品を販売するための専用の自動販売機を必要としない。また飲料用の自動販売機は大量に製造されており、古くなった飲料用の自動販売機を活用することができる。
【００１３】
また、本発明の墓参り物品用自動販売機は、冷却ユニットを有していることを特徴とする。
【００１４】
このような墓参り物品用自動販売機によれば、販売する墓参り物品の品質を維持することができる。具体的には、ローソクが溶けたり、線香が湿気たりすることを防止することができる。
【００１５】
また、本発明の墓参り物品用自動販売機によれば、所定の大きさの飲料容器を販売する自動販売機の隣に設置されることを特徴とする。
【００１６】
このような墓参り物品用自動販売機によれば、隣り合って設置されている飲料用の自動販売機の商品補充の際に、墓参り物品用自動販売機の商品補充も行うことができ墓参り物品の商品補充を効率的に行うことができる。
【図面の簡単な説明】
【００１７】
【図１】本発明の実施形態にかかる墓参り物品用自動販売機の正面図である。
【図２】本発明の実施形態にかかる墓参り物品用自動販売機の前面扉を開いた状態の内部正面図である。
【図３】本発明の実施形態にかかる墓参り物品用収容容器の正面図である。
【図４】本発明の実施形態にかかる墓参り物品用自動販売機の設置例を示した概念図である。
【発明を実施するための形態】
【００１８】
以下、図面を参照して本発明を実施するための形態を説明する。但し、以下に示す実施形態は、本発明の技術的思想を具体化するためのものを例示するだけであって、本発明をこれらに特定することを意図するものではなく、特許請求の範囲に含まれるその他の実施形態のものにも均しく適応し得るものである。
【００１９】
図１は、本実施形態にかかる墓参り物品用自動販売機１の正面図であり、図２は、墓参り物品用自動販売機１の前面扉１０を開いた状態の内部正面図である。
【００２０】
墓参り物品用自動販売機（以下、適宜単に自動販売機という）１は、開閉動作可能な前面扉１０と、前面扉１０の背部に位置する本体部２０と、を備えている。
【００２１】
前面扉１０は、販売している商品を紹介するための案内部１１と、購入する商品を選択するための選択部１２と、代金を投入するための投入部１３と、後述する墓参り物品用収容容器３０を取り出すための取出口１４と、前面扉１０の内部に設置された制御部１５と、を備えている。
【００２２】
本体部２０は、前面扉１０の開閉により前面側から見え隠れする。本体部２０は、墓参り物品用収容容器３０を収納するための収納部２１と、収納部２１の下方に設置された冷却ユニット２２と、を備えている。
【００２３】
案内部１１は、自動販売機１で販売している複数の墓参り物品を購入希望者に案内するためのものである。この案内部１１は、実際の商品のサンプルを展示するものでも構わないし、商品の画像を表示する表示装置からなるものでも構わない。
【００２４】
選択部１２は、案内部１１で案内されている商品の中から購入する商品を選択するためのものであり、複数のボタンからなる。なお、選択部１２を構成する釦は、押しボタンに限らず、タッチボタンでも構わない。
【００２５】
投入部１３は、購入する商品の代金を支払うためのものであり、硬貨や紙幣等を投入する投入口からなる。なお、図示していないが、お釣りを返却する返却口も備わっている。また、投入部１３は、硬貨や紙幣のような現金だけを受け付けるものだけでなく、電子マネーによる電子決済が可能なものでも構わない。
【００２６】
取出口１４は、前面扉１０の下方に設けられており、選択部１２を介して選択された墓参り物品用収容容器３０が本体部２０から排出され、この排出された物品用収容容器３０を受ける構造となっている。
【００２７】
制御部１５は、前面扉１０側での各動作や、本体部２０側での各動作を制御するものである。具体的には、制御部１５は、選択部１２と収容部２１を制御し、購入者が選択した商品を、収納部２１から取出口１４へと排出させる。また、制御部１５には、硬貨や紙幣の識別を行い、商品代金が正しいか否かの判定を行う。また、制御部１５は、冷却ユニット２２を制御し、収納部２１内の温度管理を行う。
【００２８】
収納部２１は、商品を投入するための投入口２１ａと、商品を収納し搬出するためのラック部２１ｂと、商品を排出するための商品出口２１ｃと、を備えている。投入口２１ａは、収納部２１の上部に位置し複数設けられている。そして、商品毎に決められた投入口２１ａから商品が投入され、各商品はラック部２１ｂで保管される。
【００２９】
ラック部２１ｂは、商品の姿勢を整えて移動させる構造となっている。そして、商品はラック部２１ｂで保管されるとともに、選択された商品はラック部２１ｂを通過して商品出口２１ｃを介して排出される。
【００３０】
冷却ユニット２２は、ラック部２１ｂで保管されている商品の温度を調整するためのものであり、例えば、内部に冷媒が封入され、蒸発器、圧縮機、凝縮器及び膨張機構が冷媒配管で順次接続されたものである。また、図示していないが自動販売機１の本体部２０は、更に加温ユニットを備える構成でも構わない。
【００３１】
以上の墓参り物品用自動販売機１は、販売する商品が墓参り物品ではあるが、墓参り物品を販売するための専用の自動販売機ではなく、最も広く普及している清涼飲料等の飲料を販売するための自動販売機である。具体的には、自動販売１は、缶やペットボトルのように所定の大きさの飲料容器に入った商品を販売するために設計、製造された清涼飲料用の自動販売機である。
【００３２】
もともと清涼飲料を販売するために設計、製造された自動販売機１は、本来販売を想定している所定の大きさの飲料容器として、コーヒ類に主に用いられる１９０ｇ缶、ジュース類に主に用いられる３５０ｇ缶、５００ｇ缶、水やお茶などに主に用いられる５００ｇ角ペットボトル、５００ｇ丸ペットボトル等がある。
【００３３】
そして、本実施形態の自動販売機１は、販売する商品として墓参り物品であるが、この墓参り物品を墓入り物品用収容容器３０に収容して販売している。つまり、この墓参り物品用収容容器３０は、もともと所定の大きさの飲料容器に入った商品を販売するために設計、製造された自動販売機１で販売できる大きさの容器になっている。
【００３４】
具体的には、図３に示すような、１９０ｇ缶の大きさに対応した容器３０ａ、３５０ｇ缶の大きさに対応した容器３０ｂ、５００ｇ缶の大きさに対応した容器３０ｃ、５００ｇ丸ペットボトルの大きさに対応した容器３０ｄを用いた。
【００３５】
なお、もともと清涼飲料を販売するための自動販売機として設計、製造された自動販売機１は、上記に例示した所定の大きさの飲料容器の販売に限定されるものではなく、もっと大きな例えば１．５リットルや２．０リットル用の飲料容器の商品を販売できるものでも構わない。そして、１．５リットルや２．０リットルの大きさの飲料容器を販売できる自動販売機であれば、墓参り物品用収容容器３０も、この大きさに対応した容器を用いることができる。
【００３６】
以上のように、墓参り物品が収容される墓参り物品用収容容器３０は、もともと所定の大きさの飲料容器を販売するために設計、製造された自動販売機１で販売できる大きさとなっている。したがって、墓参り物品用収容容器３０は、従来のように墓参り物品専用の自動販売機を開発、設計することなく、既存の清涼飲料用の自動販売機を用いて販売することができる。
【００３７】
なお、墓参り物品用収容容器３０としては、上部が開口した容器本体と、容器本体の開口を閉じる蓋体と、の二部品からなるものが好ましく、また材質はアルミなどの金属製のものやペットボトルのようにプラスチック製のものが好ましい。
【００３８】
また、墓参り物品用収容容器３０に収容されている墓参り物品は、墓参りの際に使用される物品である。具体的なものとしては、線香、ローソク、ライタ、マッチがあるが、この他に、タオル、ハサミ、タワシ、線香立、ローソク立、造花等も構わない。このような墓参り物品が収容可能な墓参り物品用収容容器３０に収容される。例えば、線香やローソクは容器３０ｂに収容され、タオルやハサミは容器３０ｄに収容される。また、１．５リットルや２．０リットルの大きさに対応した墓参り物品用収容容器３０があれば造花が収容される。また、墓参り物品用収容容器３０に収容される物品は、単品に限られるものではなく、例えば、線香とローソクとマッチをセットにした物品のように複数の種類からなるものでも構わない。
【００３９】
以上のように、墓参り物品が収容される墓参り物品用収容容器３０は、所定の大きさの飲料容器を複数収納できる収納部２１へ収納され、自動販売機１で販売される。したがって、墓参り物品用収容容器３０は、墓参り物品を販売するための専用の自動販売機を必要としない。また、自動販売機１がもともと清涼飲料用の自動販売機として設計されたものであれば冷却ユニット２２が備わっている。したがって、自動販売機内でローソクが溶けたり、線香が湿気たりすることを冷却ユニット２２の稼働によって防ぐことができ、墓参り物品の品質を維持することができる。
【００４０】
つぎにこの自動販売機１が実際に設置される設置例について図を用いて説明する。図４は、自動販売機１の設置例を示した概念図である。自動販売機１は、墓参り物品を販売するためのものなので、通常墓地や墓園に設置される。一方、通常、墓地や墓園には墓参りに来た人のために、缶やペットボトルのような所定の大きさの飲料容器に入った商品を販売する清涼飲料用の自動販売機１００が設置されている。
【００４１】
本実施形態の自動販売機１は、図４に示すように、所定の大きさの飲料容器に入った商品を販売する清涼飲料用の自動販売機１００と隣り合わせで設置されることが好ましい。この理由について説明する。
【００４２】
清涼飲料は墓参り物品に比べ購入者が圧倒的に多い。したがって、清涼飲料用の自動販売機１００では、墓参り物品用自動販売機１に比べ、商品の補充が頻繁に行われる。したがって、清涼飲料用の自動販売機１００と隣り合わせで墓参り物品用自動販売機１を設置しておけば、清涼飲料の商品補充の際に墓参り物品の在庫状況や補充を合わせて行うことができる。
【００４３】
とくに、墓地や墓園に常駐する者が商品の補充を行うのではなく、商品を積んだトラックでルートを回って商品補充を行うような場合、墓参り物品用収容容器３０は、もともと所定の大きさの飲料容器に入った商品を販売するために設計、製造された自動販売機１で販売できる大きさの容器になっている。したがって、墓参り物品用収容容器３０は、トラックに積み込まれる清涼飲料とほぼ同じ大きさなので、効率良くトラックに積み込んでおくことができ、また清涼飲料の商品補充のついでに墓参り物品の商品補充を効率的に行うことができる。
【００４４】
また、清涼飲料用の自動販売機１００と隣り合わせで墓参り物品用自動販売機１を設置しておけば、商品を取り出した後に廃棄される墓参り物品用収容容器３０を清涼飲料用の容器とともに効率良く収集することができる。
【００４５】
また、清涼飲料用の自動販売機１００には、携帯電話や無線ＬＡＮを介して商品の在庫管理が行えるものが登場しており、効率的な商品補充が行えるようになっている。墓参り物品用自動販売機１はこのような機能が搭載されていない旧型の自動販売機を用いたとしても、墓参り物品の商品がトラックに積んであれば、隣り合う自動販売機１００の商品補充の際に墓参り物品の商品補充を行うことができる。そして自動販売機１は、最新の機能を必要とするものではないので、旧型の自動販売を用いることができ、大量に製造され最も広く普及している飲料用の自動販売機１００を再利用して用いることができる。
【００４６】
以上のように、本実施形態の墓参り物品用収容容器３０によれば、もともと飲料用として設計、製造されている自動販売機１で販売できるため、広く普及している飲料用の自動販売機を用いて販売することで、墓参り物品を販売するための専用の自動販売機を必要としない。また、本実施形態の自動販売機１によれ、飲料用の自動販売機を用いて墓参り物品を販売するため、墓参り物品を販売するための専用の自動販売機を必要としないだけでなく、飲料用の自動販売機は大量に製造されており、古くなった飲料用の自動販売機を再利用することができる。
【符号の説明】
【００４７】
１、１００・・・自動販売機
１０・・・前面扉
１１・・・案内部
１２・・・選択部
１３・・・投入部
１４・・・取出口
１５・・・制御部
２０・・・本体部
２１・・・収納部
２１ａ・・・投入口
２１ｂ・・・ラック部
２１ｃ・・・商品出口
２２・・・冷却ユニット
３０・・・墓参り物品用収容容器
３０ａ、３０ｂ、３０ｃ、３０ｄ・・・容器
【図１】
2016057844.tif 000003
【図２】
2016057844.tif 000004
【図３】
2016057844.tif 000005
【図４】
2016057844.tif 000006